(57)【特許請求の範囲】
【請求項１】
スクリーン印刷機構部においてパターン孔が設けられたマスクプレートを基板に当接させ、前記マスクプレート上にペーストを供給してスキージを摺動させることにより基板にペーストを印刷するスクリーン印刷装置であって、前記スクリーン印刷機構部をカバーするカバー体と、カバー体に設けられた開口部を貫通する基板の搬入コンベア及び搬出コンベアと、開口部の内側における搬入コンベヤ及び搬出コンベアの上方と下方に設けられて開口部へ向って空気を噴出するエアノズルと、カバー体の上部にあって加圧空気をカバー体の内部に吹き出すことによりカバー体内部に空気圧を付与するエア吹き出しユニットとを備えたことを特徴とするスクリーン印刷装置。
【請求項２】
前記スクリーン印刷機構部を前後から挟む位置に、前記搬入コンベアと前記搬出コンベアへ向って空気を噴出することにより、前記スクリーン印刷機構部の前後にエアカーテンを形成するスリットノズルを設けたことを特徴とする請求項１記載のスクリーン印刷装置。
【発明の詳細な説明】
【０００１】
【発明の属する技術分野】
本発明は、基板にクリーム半田や導電性ペーストなどのペーストを印刷するスクリーン印刷装置に関するものである。
【０００２】
【従来の技術】
電子部品実装工程において、基板上にクリーム半田や導電性ペーストなどのペーストを印刷する方法としてスクリーン印刷が用いられている。この方法は、印刷対象部位に応じてパターン孔が設けられたスクリーンマスクを基板に当接させ、スクリーンマスク上にペーストを供給してスキージを摺動させることにより、パターン孔を介して基板上にペーストを印刷するものである。
【０００３】
ところでクリーム半田の印刷品質を確保するための要件として、空気中に浮遊しているチリなどの異物の印刷部位への付着防止がある。スクリーン印刷過程においてこれらの異物がマスクプレート上に付着するのを防止するために、従来よりスクリーン印刷装置全体をカバーで覆うとともに、スクリーンマスクやスキージなどのスクリーン印刷機構部を部分的に閉囲するなど異物付着防止対策が講じられている。
【０００４】
【発明が解決しようとする課題】
しかしながら、印刷対象の基板の搬入・搬出のために必要な開口部や、構造上不可避的に生じるカバーの部分的な隙間など、実際上はスクリーン印刷機構部を完全密閉状態におくことは不可能である。このため、これらの開口部や隙間から侵入する異物によって印刷不良を生じる場合があるという問題点があった。
【０００５】
そこで本発明は、異物の侵入を防止し印刷品質を確保できるスクリーン印刷装置を提供することを目的とする。
【０００６】
【課題を解決するための手段】
請求項１記載のスクリーン印刷装置は、スクリーン印刷機構部においてパターン孔が設けられたマスクプレートを基板に当接させ、前記マスクプレート上にペーストを供給してスキージを摺動させることにより基板にペーストを印刷するスクリーン印刷装置であって、前記スクリーン印刷機構部をカバーするカバー体と、カバー体に設けられた開口部を貫通する基板の搬入コンベア及び搬出コンベアと、開口部の内側における搬入コンベヤ及び搬出コンベアの上方と下方に設けられて開口部へ向って空気を噴出するエアノズルと、カバー体の上部にあって加圧空気をカバー体の内部に吹き出すことによりカバー体内部に空気圧を付与するエア吹き出しユニットとを備えた。
【０００９】
請求項２記載のスクリーン印刷装置は、請求項１記載のスクリーン印刷装置であって、前記スクリーン印刷機構部を前後から挟む位置に、前記搬入コンベアと前記搬出コンベアへ向って空気を噴出することにより、前記スクリーン印刷機構部の前後にエアカーテンを形成するスリットノズルを設けた。
【００１０】
本発明によれば、スクリーン印刷装置のカバー体の開口部を通して異物が外部からスクリーン印刷機構部に侵入するのを防止する異物侵入防止手段であるエアノズル、エア吹き出しユニット、スリットノズルを設けることにより、異物付着による印刷不良を防止することができる。
【００１１】
【発明の実施の形態】
次に本発明の実施の形態を図面を参照して説明する。図１は本発明の一実施の形態のスクリーン印刷装置の断面図、図２は同スクリーン印刷装置の部分断面図である。
【００１２】
まず図１を参照してスクリーン印刷装置の構造を説明する。図１において、スクリーン印刷装置１は、全体を覆うカバー体２の内部に以下に説明する基板位置決め部３およびスクリーン印刷機構部１０を配設して構成されている。基板位置決め部３は、Ｘ軸テーブル４、Ｙ軸テーブル５およびθ軸テーブル６を段積みし、更にその上にＺ軸テーブル７を載置して構成されている。Ｚ軸テーブル７上には基板９を保持する基板保持部８が設けられている。
【００１３】
基板位置決め部３の上方には、スクリーン印刷機構部１０が配設されている。スクリーン印刷機構部１０は、ホルダ枠１１に展張されたマスクプレート１２を備えている。マスクプレート１２上にはスキージユニット１３が配設されており、スキージユニット１３は図示しない移動手段により、図面に対して垂直方向に移動する。スキージユニット１３のプレート１４にはスキージ昇降機構１５が設けられており、スキージ昇降機構１５はスキージ１６を上下動させる。基板９をマスクプレート１０の下面に当接させた状態で、ペーストであるクリーム半田１７が供給されたマスクプレート１２上でスキージ１６を摺動させることにより、図示しないパターン孔を介して基板９にはクリーム半田１７が印刷される。
【００１４】
基板保持部８の前後には搬入コンベア２０および搬出コンベア２１が設けられており、搬入コンベア２０および搬出コンベア２１は、カバー体２に設けられた開口部２２，２３を貫通している。搬入コンベア２０および搬出コンベア２１の下方には、スクリーン印刷機構部１０を前後から挟む位置に、噴出口を上向きにしてスリットノズル２４，２５が配設されている。スリットノズル２４，２５は薄い層状の空気を噴出し、エアカーテンをスクリーン印刷機構部１０の前後に形成する。このエアカーテンにより、開口部２２，２３から侵入する異物がスクリーン印刷部１０に到達し、マスクプレート１２に付着するのを防止する。すなわちスリットノズル２４，２５により噴出されるエアカーテンは異物侵入防止手段となっている。
【００１５】
開口部２２，２３の内側には、エアノズル２６，２７がそれぞれ噴出口を外側（開口部側）に向けて配設されている。一方のエアノズル２６は搬入コンベア２０の上方と下方に設けられており、他方のノズルは搬出コンベア２１の上方と下方に設けられている。エアノズル２６，２７から開口部２２，２３へ向って空気を噴出させることにより、図２に示
すようにカバー体２の内側から開口部２２，２３を介して外部に流出する空気流を発生させる。またカバー体２の上部には空気加圧手段であるエア吹き出しユニット２８が設けられている。エア吹き出しユニット２８は、図外のブロアから供給される加圧空気をカバー体２の内部に吹き出させることにより、カバー体内部に空気圧を付与する。
【００１６】
エアノズル２６，２７およびエア吹き出しユニット２８はいずれも開口部２２，２３から外部に向って空気を流出させる作用を有し、この空気の流れによって外部から異物が開口部２２，２３から内部へ侵入するのを防止する。したがって、エアノズル２６，２７およびエア吹き出しユニット２８は異物侵入防止手段となっている。
【００１７】
カバー体２には、開口部２２，２３以外にも各所に開口隙間が存在するが、エア吹き出しユニット２８によってこれらの開口隙間からも外部に空気が流出する。したがって、これらの開口隙間からの異物の侵入をも併せて防止される。このようにして外部からの異物の侵入を防止することにより、マスクプレート１２への異物の付着を防止して、異物に起因する印刷不良を低減することができる。
【００１８】
【発明の効果】
本発明によれば、スクリーン印刷装置のカバー体の開口隙間を通して外部からスクリーン印刷機構部への異物の侵入を防止する異物侵入防止手段であるエアノズル、エア吹き出しユニット、スリットノズルを設けたので、異物付着による印刷不良を低減することができる。
【図面の簡単な説明】
【図１】本発明の一実施の形態のスクリーン印刷装置の断面図
【図２】本発明の一実施の形態のスクリーン印刷装置の部分断面図
【符号の説明】
２  カバー体
３  基板位置決め部
９  基板
１０  スクリーン印刷機構部
１２  マスクプレート
１６  スキージ
１７  クリーム半田
２２，２３  開口部
２４，２５  スリットノズル
２６，２７  エアノズル
２８  エア吹き出しユニット
【図１】
0003613051.tif 000002
【図２】
0003613051.tif 000003